(57)【要約】【課題】より高精細な画像と偽色の発生を抑えた画像とを状況に対応して適宜選択してカラー液晶表示パネルに表示させる。【解決手段】VRAM24から画像データ中の１画素を構成する全色成分をパラレルに読出す画像バッファ41と、画像データに重畳するOSDコードからOSD画像データを生成するカラーパレット変換部52と、画像バッファ41からの画像データ上にカラーパレット変換部52で生成したOSD画像データを重畳合成する混合部51と、合成した画像データに基づき、カラーLCDパネル60の横画素数と等しい横画素数の画像データをRGB毎にシリアル化する第1のP/S変換部55と、合成した画像データに基づき、カラーLCDパネル60の横画素数の3倍の画素数の画像データを間引いてRGB毎にシリアル化する第2のP/S変換部56と、第1,第2のP/S変換部55,56の出力の一方をカラーLCDパネル60に供給する選択部59とを備える。【選択図】      図２
2008040272.tif 000002
【特許請求の範囲】
【請求項１】
画像データを記憶する記憶手段と、
この記憶手段に記憶されている画像データをパラレルに読出す読出手段と、
この読出手段によりパラレルに読出された画像データをシリアルな画像データに変換する第１のパラレル／シリアル変換手段と、
上記読出手段によりパラレルに読出された画像データをシリアルな画像データに変換する、上記第１のパラレル／シリアル変換手段とは異なる変換を行なう第２のパラレル／シリアル変換手段と、
上記第１及び第２のパラレル／シリアル変換手段のうちいずれか一方を選択する選択手段と、
この選択手段により選択された第１または第２のパラレル／シリアル変換手段により変換されたシリアルな画像データをカラー液晶表示パネルに供給する供給手段と
を具備したことを特徴とする液晶表示装置。
【請求項２】
上記記憶手段に記憶されている画像データ中にキャラクタ画像が含まれているか否かを判断する判断手段を備え、
上記選択手段は、上記判断手段による判断結果に基づいて上記第１及び第２のパラレル／シリアル変換手段のうちいずれか一方を選択する
ことを特徴とする請求項１記載の液晶表示装置。
【請求項３】
上記記憶手段は、デジタル値の原画像データを記憶したビデオメモリを含み、
上記読出手段は、１画素を構成する全色成分を単位として原画像データをパラレルに読出す手段を含み、
さらに、上記原画像データに重畳するキャラクタのコードデータから当該キャラクタの画像データを生成するキャラクタ画像生成手段と、
上記ビデオメモリから読出される原画像データ上に上記キャラクタ画像生成手段で生成したキャラクタ画像データを重畳合成する合成手段とを備え、
上記第１のパラレル／シリアル変換手段は、
上記合成手段で得た画像データにより、駆動対象であるカラー液晶表示パネルの構成画素数と等しい画素数の画像データを色成分単位のシリアルな画像データに変換する手段を含み、
上記第２のパラレル／シリアル変換手段は、上記合成手段で得た画像データにより、駆動対象であるカラー液晶表示パネルの構成画素数の色成分数倍の画素数の画像データを間引き、色成分単位のシリアルな画像データに変換する手段を含む
ことを特徴とする請求項１記載の液晶表示装置。
【請求項４】
上記選択手段は、上記キャラクタ画像生成手段の動作に連動して上記第１及び第２のパラレル／シリアル変換手段のうちいずれか一方を選択することを特徴とする請求項３記載の液晶表示装置。
【請求項５】
上記選択手段は、上記合成手段の出力する画像データのフレーム単位で上記第１及び第２のパラレル／シリアル変換手段のうちいずれか一方を選択することを特徴とする請求項３記載の液晶表示装置。
【請求項６】
上記選択手段は、上記合成手段の出力する画像データの水平画素ライン単位で上記第１及び第２のパラレル／シリアル変換手段のうちいずれか一方を選択することを特徴とする請求項３記載の液晶表示装置。
【請求項７】
上記第１及び第２のパラレル／シリアル変換手段は、共にカラーフィルタがストライプ配列のカラー液晶表示パネルに合わせたシリアルな画像データに変換することを特徴とする請求項１乃至６のいずれかに記載の液晶表示装置。
【請求項８】
上記読出手段によりパラレルに読出された画像データを、カラーフィルタがデルタ配列のカラー液晶表示パネルに合わせたシリアルな画像データに変換する第３のパラレル／シリアル変換手段と、
上記読出手段によりパラレルに読出された画像データを、カラーフィルタがデルタ配列のカラー液晶表示パネルに合わせたシリアルな画像データに変換する、上記第３のパラレル／シリアル変換手段とは異なる変換を行なう第４のパラレル／シリアル変換手段とを備え、
上記選択手段は、上記耐６９第２のパラレル／シリアル変換手段の組合せと、上記第３及び第４のパラレル／シリアル変換手段の組合せのうち、いずれか一方を予め選択する手段を含む
ことを特徴とする請求項７記載の液晶表示装置。
【請求項９】
上記第１及び第２のパラレル／シリアル変換手段は、共にカラーフィルタがデルタ配列のカラー液晶表示パネルに合わせたシリアルな画像データに変換することを特徴とする請求項１乃至６のいずれかに記載の液晶表示装置。
【請求項１０】
上記キャラクタ画像発生手段によりキャラクタのコードデータから当該キャラクタの画像データが生成するタイミングに応じて上記選択手段での選択動作を切換えることを特徴とする請求項３記載の液晶表示装置。
【請求項１１】
上記ビデオメモリから読出される原画像データの水平方向の画素数を拡大する第１の水平拡大手段と、
上記キャラクタ画像生成手段で生成したキャラクタ画像データの水平方向の画素数を拡大する第２の水平拡大手段とをさらに具備し、
上記合成手段は、上記第１の水平拡大手段で得た原画像データ上に上記第２の水平拡大手段で得たキャラクタ画像データを重畳合成する
ことを特徴とする請求項３記載の液晶表示装置。
【請求項１２】
被写体の画像を撮影する撮像手段と、
この撮像手段で得た画像データを記録する記録手段と、
上記撮像手段での撮影により得た画像データまたは上記記録手段に記録された画像データを表示するカラー液晶表示パネルと、
上記撮像手段での撮影により得た画像データまたは上記記録手段に記録された画像データを記憶する記憶手段と、
この記憶手段に記憶されている画像データをパラレルに読出す読出手段と、
この読出手段によりパラレルに読み出された画像データをシリアルな画像データに変換する第１のパラレル／シリアル変換手段と、
上記読出手段によりパラレルに読み出された画像データをシリアルな画像データに変換する、上記第１のパラレル／シリアル変換手段とは異なる変換を行なう第２のパラレル／シリアル変換手段と、
上記第１及び第２のパラレル／シリアル変換手段のうちいずれか一方を選択する選択手段と、
この選択手段により選択された第１または第２のパラレル／シリアル変換手段により変換されたシリアルな画像データを上記カラー液晶表示パネルに供給する供給手段と
を具備したことを特徴とする撮像装置。
【請求項１３】
記憶部に記憶されたデジタル値の画像データに基づいてカラー液晶表示パネルの表示駆動を行なう液晶表示方法であって、
上記記憶部に記憶されている画像データをパラレルに読出す読出工程と、
この読出工程でパラレルに読出された画像データをシリアルな画像データに変換する第１のパラレル／シリアル変換工程と、
上記読出工程でパラレルに読出された画像データをシリアルな画像データに変換する、上記第１のパラレル／シリアル変換工程とは異なる変換を行なう第２のパラレル／シリアル変換工程と、
上記第１及び第２のパラレル／シリアル変換工程のうちいずれか一方を選択する選択工程と、
この選択工程で選択された第１または第２のパラレル／シリアル変換工程により変換されたシリアルな画像データをカラー液晶表示パネルに供給する供給工程と
を有したことを特徴とする液晶表示方法。
【請求項１４】
記憶部に記憶されたデジタル値の画像データに基づいてカラー液晶表示パネルの表示駆動を行なう電子機器に内蔵されたコンピュータが実行するプログラムであって、
上記記憶部に記憶されている画像データをパラレルに読出す読出ステップと、
この読出ステップでパラレルに読出された画像データをシリアルな画像データに変換する第１のパラレル／シリアル変換ステップと、
上記読出ステップでパラレルに読出された画像データをシリアルな画像データに変換する、上記第１のパラレル／シリアル変換ステップとは異なる変換を行なう第２のパラレル／シリアル変換ステップと、
上記第１及び第２のパラレル／シリアル変換ステップのうちいずれか一方を選択する選択ステップと、
この選択ステップで選択された第１または第２のパラレル／シリアル変換ステップにより変換されたシリアルな画像データをカラー液晶表示パネルに供給する供給ステップと
をコンピュータに実行させることを特徴とするプログラム。
【発明の詳細な説明】
【技術分野】
【０００１】
本発明は、例えばデジタルカメラのモニタ表示部等に好適な液晶表示装置、撮像装置、液晶表示方法及びプログラムに関する。
【背景技術】
【０００２】
従来、回路構成を簡略化しながら、デジタル画像データを用いて液晶表示パネルを直接駆動する技術として、ＶＧＡに準じた画素数構成を有する輝度色差系のデジタル画像データに対し、ＮＴＳＣ方式の水平走査周期に対応した横方向の構成画素数を変換する横画素変換部と、この横画素変換部を経たデジタル画像データＹＵＶから原色系のデジタル画像データＲＧＢを生成して液晶表示部に直接出力する液晶エンコーダとを備えるようにしたものが本願と同出願人及び同発明者らによって提案していた。（例えば、特許文献１）
【特許文献１】特開２００４−１９４２８６号公報
【発明の開示】
【発明が解決しようとする課題】
【０００３】
上記特許文献１に記載された技術を含め、カラー液晶表示パネルに与える画像データを該パネルの横構成画素数に応じて一旦複数倍に変換した後に各信号電極に印加する構成とする高精細駆動を行なうことで、見かけ上の表示画質を向上することができる。
【０００４】
その反面、上述したような高精細駆動を実行した場合、単に自然画等を表示している際には特に大きな問題を生じないものの、その自然画上に文字や記号等のキャラクタデータを重畳して表示するものとした場合に、それらキャラクタデータ部分も高精細駆動されることで、本来は単一色で表示されなければならない部分が複数色で表示される、所謂偽色が発生し、却って見え難いものとなってしまうという不具合があった。
具体的には、例えばデジタルスチルカメラのモニタ表示部等で、その時点で撮影系により撮影している画像をそのまま表示させる、所謂スルー画像上に撮影条件等のキャラクタデータ、フラッシュ発光モードや撮影サイズ、バッテリの残容量などの文字、記号等を重畳して表示するものとした場合、スルー画像上に重畳表示されるそれらキャラクタデータの特にエッジ部分が本来の単一色ではなく虹色に彩色されたような状態で不自然に表示されることがあり得る。
【０００５】
本発明は上記のような実情に鑑みてなされたもので、その目的とするところは、より高精細な画像と偽色の発生を抑えた画像とを状況に対応して適宜選択してカラー液晶表示パネルに表示させることが可能な液晶表示装置、撮像装置、液晶表示方法及びプログラムを提供することにある。
【課題を解決するための手段】
【０００６】
本発明の一形態は、画像データを記憶する記憶手段と、この記憶手段に記憶されている画像データをパラレルに読出す読出手段と、この読出手段によりパラレルに読出された画像データをシリアルな画像データに変換する第１のパラレル／シリアル変換手段と、上記読出手段によりパラレルに読出された画像データをシリアルな画像データに変換する、上記第１のパラレル／シリアル変換手段とは異なる変換を行なう第２のパラレル／シリアル変換手段と、上記第１及び第２のパラレル／シリアル変換手段のうちいずれか一方を選択する選択手段と、この選択手段により選択された第１または第２のパラレル／シリアル変換手段により変換されたシリアルな画像データをカラー液晶表示パネルに供給する供給手段とを具備したことを特徴とする。
【発明の効果】
【０００７】
本発明の一形態によれば、第１及び第２のパラレル／シリアル変換手段のうちいずれか一方を選択手段で選択することで、より高精細な画像と偽色の発生を抑えた画像とを状況に対応して適宜選択してカラー液晶表示パネルに表示させることができる。
【発明を実施するための最良の形態】
【０００８】
以下本発明をデジタルカメラに適用した場合の実施の一形態について図面を参照して説明する。  
図１は、このデジタルカメラ１０全体の電子回路の概念構成を示すものである。  
図中、撮影モードでのモニタリング状態においては、モータ（Ｍ）１１の駆動により撮影レンズ光学系１２中の一部のレンズ、具体的にはズームレンズ及びフォーカスレンズの位置が適宜移動される。この撮影レンズ光学系１２の撮影光軸後方の結像位置に、図示しないメカニカルシャッタを介して、固体撮像素子であるＣＣＤ１３が配置される。
【０００９】
ＣＣＤ１３は、タイミング発生器（ＴＧ）１４、ＣＣＤドライバ１５によって走査駆動され、一定周期毎に結像した光像に対応する光電変換出力を１画面分出力する。
【００１０】
この光電変換出力は、ＡＧＣ／ＳＨ（Ａｕｔｏ  Ｇａｉｎ  Ｃｏｎｔｒｏｌ／Ｓａｍｐｌｅ  Ｈｏｌｄ）回路１６において、アナログ値の信号の状態でＲＧＢの各原色成分毎にその時点に設定されているＩＳＯ感度に応じて自動ゲイン調整された後にサンプルホールドされ、Ａ／Ｄ変換器１７に送られる。
【００１１】
Ａ／Ｄ変換器１７では、アナログの画像データをデジタルデータに変換し、カラープロセス回路１８へ出力する。
【００１２】
カラープロセス回路１８は、デジタルの画像データに対して画素補間処理及びγ補正処理を含むカラープロセス処理を行ない、マトリックス変換によりデジタル値の輝度色差系の画像データＹＵＶを生成した後にＤＭＡ（Ｄｉｒｅｃｔ  Ｍｅｍｏｒｙ  Ａｃｃｅｓｓ）コントローラ１９に出力する。
【００１３】
ＤＭＡコントローラ１９は、カラープロセス回路１８の出力する画像データＹＵＶを、同じくカラープロセス回路１８からの複合同期信号、メモリ書込みイネーブル信号、及びクロック信号を用いて一度ＤＭＡコントローラ１９内部のバッファに書込み、ＤＲＡＭインタフェース（Ｉ／Ｆ）２０を介してバッファメモリとして使用されるＤＲＡＭ２１にＤＭＡ転送を行なう。
【００１４】
制御部２２は、ＣＰＵと、後述する選択部への選択信号ＳＥＬの出力を含む動作プログラムを固定的に記憶したフラッシュメモリなどの不揮発性メモリ、及びワークメモリとして使用されるＲＡＭ等により構成され、このデジタルカメラ１０全体の制御動作を司るもので、上記画像データのＤＲＡＭ２１へのＤＭＡ転送終了後に、この画像データをＤＲＡＭインタフェース２０を介してＤＲＡＭ２１より読出し、表示コントローラ２３を介してＶＲＡＭ２４に書込む。
【００１５】
一方で制御部２２は、上記画像データとは別に、その時点での動作状態に対応した各種キャラクタのコードデータからなるＯＳＤ（Ｏｎ  Ｓｃｒｅｅｎ  Ｄｉｓｐｌａｙ）コードを上記画像データとは別にＶＲＡＭ２４に書込む。
【００１６】
表示コントローラ２３は、上記画像データとＯＳＤコードとをＶＲＡＭ２４より定期的に読出して表示部２５に出力する。
【００１７】
この表示部２５は、デジタルカメラ１０の筐体背面に配設された例えばバックライト付きのカラー液晶パネルとその駆動回路とで構成されるもので、撮影モード時には電子ファインダとして機能し、表示コントローラ２３からの画像データ等に基づいた表示を行なうことで、その時点で表示コントローラ２３から取込んでいる画像等をリアルタイムにモニタ表示する一方で、再生モード時には選択した画像等を再生表示する。
【００１８】
このように表示部２５にその時点での被写体の画像をモニタ画像としてリアルタイムに表示している、所謂スルー画像の表示状態で、静止画撮影を行ないたいタイミングでキー入力部２６の一部を構成するシャッタキーを操作すると、トリガ信号を発生する。
【００１９】
制御部２２は、このトリガ信号に応じてその時点でＣＣＤ１３から取込んでいる１画面分の輝度及び色差信号のＤＲＡＭ２１へのＤＭＡ転送を取り止め、あらためて適正な露出条件に従ったシャッタ速度で図示しないメカニカルシャッタ及び上記ＣＣＤ１３を駆動して１画面分の輝度及び色差信号を得てＤＲＡＭ２１へ転送し、その後にこの経路を停止し、記憶保存の状態に遷移する。
【００２０】
この記憶保存の状態では、制御部２２がＤＲＡＭ２１に書込まれている１フレーム分の画像データＹＵＶをＤＲＡＭインタフェース２０を介してＹ，Ｕ，Ｖの各コンポーネント毎に縦８画素×横８画素の基本ブロックと呼称される単位で読出して画像圧縮／伸長回路２７に書込み、この画像圧縮／伸長回路２７で所定の画像フォーマット、例えばＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）に従ったＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、エントロピ符号化方式であるハフマン符号化等のデータ圧縮処理により符号化する。
【００２１】
そして、得た符号データを１画像分のデータファイルとして該画像圧縮／伸長回路２７から読出し、このデジタルカメラ１０に着脱自在に装着されるメモリカード２８か、あるいはメモリカード２８が装着されていない場合にはこのデジタルカメラ１０内に固定的に備えられた内蔵メモリ２９に書込む。
【００２２】
そして、１フレーム分の輝度及び色差信号の圧縮処理とメモリカード２８または内蔵メモリ２９への全圧縮データの書込み終了に伴なって、制御部２２はＣＣＤ１３からＤＲＡＭ２１への経路を再び起動する。
【００２３】
また、制御部２２には、上述したキー入力部２７と、音声処理部３０、及びフラッシュ駆動部３１が接続される。
【００２４】
キー入力部２７は、上述したシャッタキーの他に、電源キー、ズームキー、撮影モードキー、再生モードキー、カーソルキー、セットキー、メニューキー、マクロキー、及びフラッシュキー等から構成され、それらのキー操作に伴なう信号は直接制御部２２へ送出される。
【００２５】
音声処理部３０は、ＰＣＭ音源等の音源回路を備え、音声の録音時にはこのデジタルカメラ１０の筐体前面に配設されたマイクロホン部３２より入力された音声信号をデジタル化し、所定のデータファイル形式、例えばＭＰ３（Ｍｏｖｉｎｇ  Ｐｉｃｔｕｒｅ  ｃｏｄｉｎｇ  Ｅｘｐｅｒｔｓ  Ｇｒｏｕｐ−１  ａｕｄｉｏ  ｌａｙｅｒ  ３）規格にしたがってデータ圧縮して音声データファイルを作成し、上記メモリカード２８または内蔵メモリ２９へ送出する。
【００２６】
一方、音声処理部３０は、音声の再生時にメモリカード２８または内蔵メモリ２９から読出されてきた音声データファイルの圧縮を解いてアナログ化し、上記表示部２５と同じくデジタルカメラ１０の背面側に設けられるスピーカ部３３を駆動して、拡声放音させる。
【００２７】
フラッシュ駆動部３１は、静止画像撮影時に図示しないフラッシュ駆動用の大容量コンデンサを充電した上で、制御部２２からの制御に基づいてキセノン放電管等で構成されるフラッシュ発光部３４を閃光駆動させる。
【００２８】
しかるに、撮影モード時に静止画像ではなく動画像の撮影が選択されている場合には、１回目のシャッタキーが操作された時点で、上述した静止画データを取得して画像圧縮／伸長回路２７でデータ圧縮し、メモリカード２８または内蔵メモリ２９へ記憶するという一連の動作を適宜フレームレート、例えば３０［フレーム／秒］で連続して実行するものとして開始し、該シャッタキーが２回目に操作されるか、または所定の制限時間、例えば３０秒が経過した時点でそれら一連の静止画データファイルを一括してモーションＪＰＥＧのデータファイル（ＡＶＩファイル）として設定し直す。
【００２９】
また、再生モード時には、制御部２２がメモリカード２８または内蔵メモリ２９に記憶されている画像データを選択的に読出し、画像圧縮／伸長回路２７で撮影モード時にデータ圧縮した手順と全く逆の手順で圧縮されている画像データを伸長し、伸長した画像データをＤＲＡＭインタフェース２０を介しＤＲＡＭ２１に保持させた上で、このＤＲＡＭ２１の保持内容を表示コントローラ２３を介してＶＲＡＭ２４に記憶させ、このＶＲＡＭ２４より定期的に画像データを読出してビデオ信号を発生し、上記表示部２５で再生させる。
【００３０】
選択した画像データが静止画像ではなく動画像であった場合、選択した動画像ファイルを構成する個々の静止画データの再生を所定のフレームレートで時間的に連続して実行し、最後の静止画データの再生を終了した時点で、次に再生の指示がなされるまで先頭に位置する静止画データのみを用いて再生表示する。
【００３１】
次いで、主として上記表示コントローラ２３、ＶＲＡＭ２４、及び表示部２５を構成する回路の機能ブロックを図２にて示す。同図で、ＶＲＡＭ２４から画像データとＯＳＤコードとが順次読出されるもので、画像データは表示コントローラ２３の画像バッファ４１に、ＯＳＤコードは同ＯＳＤバッファ４２にそれぞれ保持される。なお、画像データの画素数は、ＹＵＶ３成分を１画素として数えた場合、縦２４０画素×横３２０画素の計７６，８００画素で構成されるものとする。
【００３２】
画像バッファ４１は、各色成分８ビット×３色分の画像データＹＵＶ計２４ビットをパラレルに読出し、表示部２５内の混合部５１に送出する。
【００３３】
一方のＯＳＤバッファ４２は、８ビットのＯＳＤコードを表示部２５内のカラーパレット変換部５２に読出す。
【００３４】
このカラーパレット変換部５２は、入力された８ビットのＯＳＤコードに対し、予め記憶しているキャラクタのカラー画像データを発生するキャラクタジェネレータとして機能し、各色成分８ビット×３色分のＯＳＤ画像データＹＵＶ計２４ビットをパラレルに読出し、上記混合部５１に送出する。
【００３５】
混合部５１では、画像バッファ４１から送られてきた画像データに対してカラーパレット変換部５２からのＯＳＤ画像データを上書きする混合処理を実行し、混合の結果得られた画像データを水平拡大部５３へ送出する。
【００３６】
水平拡大部５３は、混合部５１から送られてくる画像データを後述する液晶表示パネル６０の横構成画素数（第１〜第４のパラレル／シリアル変換部５５〜５８で必要とされる横構成画素数）に合わせて必要により水平方向に拡大し、水平拡大部５３に入力される画像データの横構成画素数３２０画素の１倍（３２０画素）、２倍（６４０画素），３倍（９６０画素）または６倍（１９２０画素）の構成画素数（ＹＵＶ３成分を１画素として数えた場合）とするもので、水平拡大部５３から出力された画像データはＲＧＢ変換部５４へ送られる。
【００３７】
このＲＧＢ変換部５４は、入力されるパラレル２４ビットの輝度色差系の画像データＹＵＶをマトリックス演算により同ビット数の原色系の画像データＲＧＢに変換して第１〜第４のパラレル／シリアル（Ｐ／Ｓ）変換部５５〜５８へ出力する。
【００３８】
これら第１〜第４のパラレル／シリアル変換部５５〜５８は、表示駆動対象となるカラー液晶表示パネルのカラーフィルタがストライプ配列である場合とデルタ配列である場合とに合わせて用意される。
【００３９】
これら第１〜第４のパラレル／シリアル変換部５５〜５８の各動作内容は後述するものとして、第１〜第４のパラレル／シリアル変換部５５〜５８はそれぞれ入力された画像データを各原色成分Ｒ，Ｇ，Ｂ単位毎のシリアルな画像データ８ビットに変換して、順次選択部５９へ出力する。
【００４０】
この選択部５９は、上記制御部２２から与えられる選択信号ＳＥＬにより第１〜第４のパラレル／シリアル変換部５５〜５８からの出力のうちのいずれか１つを選択して、表示駆動対象である液晶表示（ＬＣＤ）パネル６０へ供給する。
【００４１】
なお、上記混合部５１、カラーパレット変換部５２、水平拡大部５３、ＲＧＢ変換部５４、及び第１〜第４のパラレル／シリアル変換部５５〜５８は、実際の製品上では表示ドライバユニットのＬＳＩとして１チップ化される。しかるに、この表示ドライバユニットＤＵに対して、表示カウンタ６１よりそのカウント信号が動作信号として与えられる。
【００４２】
同様に、表示カウンタ６１のカウント信号は液晶表示タイミング発生器（ＬＣＤ−ＴＧ）６２にも与えられ、液晶表示タイミング発生器６２はこのカウント信号により上記液晶表示パネル６０のソースドライバ及びゲートドライバの駆動タイミングを制御する。
【００４３】
図３は、上記液晶表示パネル６０がストライプ配列のカラーフィルタを採用している場合を例示している。
【００４４】
ここでは、液晶表示パネル６０が縦２４０画素×横９６０画素のドットマトリックス構成を有するものとする。Ｙ１〜Ｙ２４０がゲート（走査）電極、Ｘ１〜Ｘ９６０がソース（信号）電極の番号を示す。
【００４５】
なお、以下本実施の形態中で用いる「１画素」とは、各原色成分Ｒ，Ｇ，Ｂをそれぞれ独立したものとしてカウントするもので、通常一般的に用いられている、ＲＧＢ３画素を１セットとする場合に以下本実施の形態中では「１カラー画素」と称するものとする。
【００４６】
図３に示すようにストライプ配列のカラーフィルタでは、縦ライン単位でＲ，Ｇ，Ｂの各カラーフィルタが共通して配列されるもので、図中に破線で示すように、横ライン上で隣接するＲＧＢ３画素を１つのカラー画素ＣＰとして画像データを供給する。
【００４７】
したがって、液晶表示パネル６０全体では縦２４０カラー画素×横３２０カラー画素のＱＶＧＡ（１／４ＶＧＡ）構成を有する画像データを表示することができる。
【００４８】
また図４は、上記液晶表示パネル６０がデルタ配列のカラーフィルタを採用している場合を例示している。
【００４９】
ここでも、液晶表示パネル６０が縦２４０画素×横９６０画素のドットマトリックス構成を有するものとする。Ｘ１〜Ｘ９６０がソース（信号）電極、Ｙ１〜Ｙ２４０がゲート（走査）電極の番号を示す。
【００５０】
図４に示すようにデルタ配列のカラーフィルタでは、縦ライン方向に各画素が半画素分ずらしてジグザグ配置され、図中に破線で示すように、２ラインに跨って３角状に位置するＲＧＢ３画素を１つのカラー画素ＣＰとして画像データを供給する。
【００５１】
したがって、液晶表示パネル６０全体では縦２４０カラー画素×横３２０カラー画素のＱＶＧＡ（１／４ＶＧＡ）構成を有する画像データを表示することができる。
【００５２】
上記水平拡大部５３では、入力される画像データＹＵＶに対し、液晶表示パネル６０の構成画素数（第１〜第４のパラレル／シリアル変換部５５〜５８で必要とされる横構成画素数）に合わせて横方向の構成画素数を等倍の３２０カラー画素、２倍の６４０カラー画素、３倍の９６０カラー画素または６倍の１９２０カラー画素に必要に応じて拡大処理した上で出力するもので、この画像データがＲＧＢ変換部５４で原色系の画像データに変換されて第１〜第４のパラレル／シリアル変換部５５〜５８へ出力される。
【００５３】
上記第１のパラレル／シリアル変換部５５及び第２のパラレル／シリアル変換部５６は、共に上記図３で示したストライプ配列のカラーフィルタを有する液晶表示パネル６０に対して設けられたものである。
【００５４】
図５は、上記第１のパラレル／シリアル変換部５５が実行する変換内容を示すものである。第１のパラレル／シリアル変換部５５には、上記水平拡大部５３から等倍で（拡大されることなく）出力された画像データ、すなわち１水平ライン当たり３２０カラー画素（９６０画素）分のパラレルデータ（ｘ１〜ｘ３２０）が入力される。
【００５５】
第１のパラレル／シリアル変換部５５は、入力された画像データに対し、１カラー画素毎にその１カラー画素をそのまま選択し、画像データを間引くことなく１水平ライン当たり９６０画素分の画像データ（Ｘ１〜Ｘ９６０）のシリアルデータに変換した上で後段の選択部５９に出力する。
【００５６】
つまり、入力した各カラー画素中のＲＧＢ毎の画素データに基づき、図中に各矢印で示す如くカラーフィルタが対応する色となっている液晶表示パネル６０のソース電極に順次色成分毎の画素データをシリアルに出力して表示駆動させることで、液晶表示パネル６０側では同ゲート電極側の走査駆動と合わせて、ＯＳＤキャラクタが重畳された画像データ、あるいはＯＳＤキャラクタが重畳されていない画像データの表示が実行されることとなる。
【００５７】
このように、液晶表示パネル６０の横構成画素数に合わせて、入力される画像データを間引くことなくパラレル／シリアル変換を行なって、シリアルに各色成分毎の画素データを出力するものとしたので、液晶表示パネル６０での解像度はある程度低下するものの、特にＯＳＤ用のキャラクタデータの輪郭部分等で偽色が発生するのを極力抑制し、ユーザにとって自然で見易い画質での表示を実行させることができる。
【００５８】
一方、図６は、第２のパラレル／シリアル変換部５６が実行する変換内容を示すものである。第２のパラレル／シリアル変換部５６は、上記水平拡大部５３からの３倍に拡大された画像データ、すなわち１水平ライン当たり９６０カラー画素（２８８０画素）分のパラレルデータ（ｘ１〜ｘ９６０）が入力される。
【００５９】
第２のパラレル／シリアル変換部５６は、入力された画像データに対し、１カラー画素毎にその１カラー画素のうち１画素のみを選択し、画像データを間引いて１水平ライン当たり９６０画素分のシリアルデータ（Ｘ１〜Ｘ９６０）に変換した上で後段の選択部５９に出力する。
【００６０】
つまり、入力した各カラー画素中のＲＧＢ毎の画素データに基づき、１カラー画素を構成する３画素中からＲ，Ｇ，Ｂの順序で１画素分ずつ選択し（２画素を間引くものとして）、図中に各矢印で示す如くカラーフィルタが対応する色となっている液晶表示パネル６０のソース電極に順次色成分毎の画素データをシリアルに出力して表示駆動させることで、液晶表示パネル６０側では同ゲート電極側の走査駆動と合わせて、ＯＳＤキャラクタが重畳された画像データ、あるいはＯＳＤキャラクタが重畳されていない画像データの表示が実行されることとなる。
【００６１】
このように、液晶表示パネル６０の横構成画素数に合わせて、横（水平）方向に拡大された画像データを入力した上でパラレル／シリアル変換を行なって、シリアルに必要な各色成分毎の画素データを間引いて選択して出力するものとしたので、液晶表示パネル６０での解像度を極力向上し、高精細な画像の表示を実行させることができる。
【００６２】
第３のパラレル／シリアル変換部５７及び第４のパラレル／シリアル変換部５８は、共に上記図４で示したデルタ配列のカラーフィルタを有する液晶表示パネル６０に対して設けられたものである。
【００６３】
図７は、上記第３のパラレル／シリアル変換部５７が実行する変換内容を示すものである。第３のパラレル／シリアル変換部５７には、上記水平拡大部５３から液晶表示パネル６０の横構成画素数（入力された画像データの横構成画素数）の２倍に拡大されて出力される画像データ、すなわち１水平ライン当たり６４０カラー画素（１９２０画素）分のパラレルデータ（ｘ１〜ｘ６４０）が入力される。
【００６４】
第３のパラレル／シリアル変換部５７は、入力された画像データに対し、２カラー画素毎にそのうちの１カラー画素を選択し、且つ奇数ラインと偶数ラインとで選択するタイミングを１カラー画素分ずらすようにして画像データを間引いて、１水平ライン当たり９６０画素分のシリアルデータ（Ｘ１〜Ｘ９６０）に変換した上で後段の選択部５９に出力する。
【００６５】
つまり、入力した各カラー画素中のＲＧＢ毎の画素データに基づき、図中に各矢印で示す如くカラーフィルタが対応する色となっている液晶表示パネル６０のソース電極に順次色成分毎の画素データをシリアルに出力して表示駆動させることで、液晶表示パネル６０側では同ゲート電極側の走査駆動と合わせて、ＯＳＤキャラクタが重畳された画像データ、あるいはＯＳＤキャラクタが重畳されていない画像データの表示が実行されることとなる。
【００６６】
このように、液晶表示パネル６０の横構成画素数に合わせて、入力される画像データを間引きながらパラレル／シリアル変換を行なって、シリアルに各色成分毎の画素データを出力するものとしたので、液晶表示パネル６０での解像度はある程度低下するものの、特にＯＳＤ用のキャラクタデータの輪郭部分等で偽色が発生するのを極力抑制し、ユーザにとって自然で見易い画質での表示を実行させることができる。
【００６７】
一方、図８は、第４のパラレル／シリアル変換部５８が実行する変換内容を示すものである。第４のパラレル／シリアル変換部５８には、上記水平拡大部５３から液晶表示パネル６０の横構成画素数（入力された画像データの横画素数）の６倍に拡大された画像データ、すなわち１水平ライン当たり１９２０カラー画素（５７６０画素）分のパラレルデータ（ｘ１〜ｘ１９２０）が入力される。
【００６８】
第４のパラレル／シリアル変換部５８は、入力された画像データに対し、２カラー画素毎にそのうちの１カラー画素のうち１画素のみを選択し、且つ奇数ラインと偶数ラインとで選択するタイミングを１カラー画素分ずらすようにして画像データを間引いて、１水平ライン当たり９６０画素分のシリアルデータ（Ｘ１〜Ｘ９６０）に変換した上で後段の選択部５９に出力する。
【００６９】
つまり、入力した各カラー画素中のＲＧＢ毎の画素データに基づき、２カラー画素のうちの１カラー画素を構成する３画素中からＲ，Ｇ，Ｂの順序で１画素分を選択し（計６画素中の５画素を間引くものとして）、図中に各矢印で示す如くカラーフィルタが対応する色となっている液晶表示パネル６０のソース電極に順次色成分毎の画素データをシリアルに出力して表示駆動させることで、液晶表示パネル６０側では同ゲート電極側の走査駆動と合わせて、ＯＳＤキャラクタが重畳された画像データ、あるいはＯＳＤキャラクタが重畳されていない画像データの表示が実行されることとなる。
【００７０】
このように、液晶表示パネル６０の横構成画素数に合わせて、横（水平）方向に拡大された画像データを入力した上でパラレル／シリアル変換を行なって、シリアルに必要な各色成分毎の画素データを間引いて選択して出力するものとしたので、液晶表示パネル６０での解像度を極力向上し、高精細な画像の表示を実行させることができる。
【００７１】
駆動対象である液晶表示パネル６０は、そのカラーフィルタが上記図３で示したストライプ配列のものであるか、または上記図４で示したデルタ配列のものであるかをデジタルカメラ１０の製品企画時に特定することができるため、表示ドライバユニットＤＵ内の第１のパラレル／シリアル変換部５５及び第２のパラレル／シリアル変換部５６と、第３のパラレル／シリアル変換部５７及び第４のパラレル／シリアル変換部５８のいずれか一方とそれに合わせた水平拡大部５３での動作を予め選択しておくことができる。
【００７２】
加えて、上記図２で示した構成はあくまでも回路の機能構成を示したものであり、実際に表示ドライバユニットＤＵをハードウェア回路として設計する場合には、第１のパラレル／シリアル変換部５５と第３のパラレル／シリアル変換部５７、第２のパラレル／シリアル変換部５６と第４のパラレル／シリアル変換部５８とでそれぞれ多くの共有する回路部分を有する構成が充分可能であるので、必ずしも実回路の多くの部分が使用しないまま無駄になってしまう訳ではない。
【００７３】
しかるに、表示ドライバユニットＤＵ内に、カラーフィルタがストライプ配列のカラー液晶表示パネルに適した第１のパラレル／シリアル変換部５５及び第２のパラレル／シリアル変換部５６と、カラーフィルタがデルタ配列のカラー液晶表示パネルに適した第３のパラレル／シリアル変換部５７及び第４のパラレル／シリアル変換部５８とを共に備えておくことにより、上述した如く表示ドライバユニットＤＵを１チップのＬＳＩ化した場合に、多くの製品で当該ＬＳＩを共通して使用することが可能となり、製造に要するコストをより低減することができる。
【００７４】
次に上記実施の形態の動作について説明する。  
上記のような回路構成にあっては、制御部２２が選択部５９への選択信号ＳＥＬを適宜制御することで、第１のパラレル／シリアル変換部５５（または第３のパラレル／シリアル変換部５７）での偽色の発生を抑えた表示と第２のパラレル／シリアル変換部５６（または第４のパラレル／シリアル変換部５８）での高解像度の表示とを選択させ、ストライプ配列（またはデルタ配列）のカラーフィルタを有する液晶表示パネル６０での表示制御を実行することができる。
【００７５】
上記選択部５９での選択動作に際しては、例えば撮影モード下にあって液晶表示パネル６０でスルー画像を表示させるのに際し、各種撮影条件やヒストグラムなどの情報をＯＳＤ画像データとして表示させる場合には画像フレーム単位で第１のパラレル／シリアル変換部５５（または第３のパラレル／シリアル変換部５７）での偽色の発生を抑えた表示を行なわせ、一方で各種撮影条件やヒストグラムなどの情報をＯＳＤ画像データとして表示させず、その時点で撮影している被写体の自然画像の例えば逆光や白飛びなどの露光状態を詳細にモニタしたい場合には画像フレーム単位で第２のパラレル／シリアル変換部５６（または第４のパラレル／シリアル変換部５８）での高解像度の表示を行なわせる、など状況に対応した選択動作を容易に実現できる。
【００７６】
例えば、スルー画像上に文字情報を表示させる情報表示モード又はメニュー表示モードがユーザの手動操作により選択されたことに応答（連動）して、第２のパラレル／シリアル変換部５６（または第４のパラレル／シリアル変換部５８）での高解像度の表示から、第１のパラレル／シリアル変換部５５（または第３のパラレル／シリアル変換部５７）での偽色の発生を抑えた表示に切り替えるようにしたり、逆に、情報表示モードまたはメニュー表示モードがユーザの手動操作により解除されたことに応答（連動）して、第１のパラレル／シリアル変換部５５（または第３のパラレル／シリアル変換部５７）での偽色の発生を抑えた表示から、第２のパラレル／シリアル変換部５６（または第４のパラレル／シリアル変換部５８）での高解像度の表示に切替えるといった構成が考えられる。
【００７７】
また、上記高解像度の表示と偽色の発生を抑えた表示との間の切替えを行なう専用の表示切替キーを設けるようにし、この表示切替キーの操作に応じて上記高解像度の表示と偽色の発生を抑えた表示との間の切替制御を行なうといった構成も考えられる。
【００７８】
さらに、上述した如く選択部５９での選択動作を手動操作により制御するのではなく、ＯＳＤバッファ４２の出力するＯＳＤコードの有無等により、元の画像データに重畳するＯＳＤキャラクタの画像データの有無に応じて選択部５９での選択動作を自動的に切り換えるものとしてもよい。
【００７９】
図９は、画像データに重畳するＯＳＤコードの有無により選択部５９での選択動作を自動的に切換えるようにした場合の、上記図２に代わる本実施の形態の他の構成例を示すものである。同図において、基本的な機能回路の構成については上記図２に準ずるものとし、同一部分には同一符号を付してその説明を省略する。
【００８０】
さらに、この図９にあっては、説明を簡略化するべく、液晶表示パネル６０がストライプ配列のカラーフィルタを有するものであるとして、第１のパラレル／シリアル変換部５５及び第２のパラレル／シリアル変換部５６のみを設け、上記第３のパラレル／シリアル変換部５７及び第４のパラレル／シリアル変換部５８の存在を省略する。
【００８１】
しかして、ＯＳＤバッファ４２の出力するＯＳＤコードは、表示ドライバユニットＤＵ内のカラーパレット変換部５２の他に切換え制御部７１にも与えられるものとする。この切換え制御部７１は、ＯＳＤバッファ４２が出力するＯＳＤコードの有無に応じて上記選択部５９へ選択信号ＳＥＬを送出する。
【００８２】
このように、ＯＳＤコードがＯＳＤバッファ４２から出力される場合には、選択部５９で第２のパラレル／シリアル変換部５６の出力する高解像度の画像データではなく、第１のパラレル／シリアル変換部５５の出力する偽色の発生を抑えた画像データを選択して液晶表示パネル６０に供給することで、自然画等の画像データとＯＳＤキャラクタの画像データとが混在するような場合にのみ、必要に応じた表示制御を実施し、且つ装置全体の制御を実施する制御部２２の負担を軽減することができる。
【００８３】
なお、上記切換え制御部７１がＯＳＤバッファ４２からのＯＳＤコードにより選択部５９への選択信号ＳＥＬを送出するに際しては、画像データを構成する１水平ライン単位でそのタイミングを制御するものとしてもよいし、または画像フレーム単位でタイミングを制御するものとしてもよい。
【００８４】
当然ながら、画像フレーム単位で切換えタイミングを制御するものとすれば、画像全体が等しい解像度で表示されることとなり、制御がより容易になる一方で、水平ライン単位で切換えタイミングを制御するものとすれば、例えばＯＳＤキャラクタが画像フレーム中の上端側あるいは下端側に位置する場合に、ＯＳＤキャラクタがある部分では偽色の発生を抑えて低い解像度での表示を行ないながら、同時にＯＳＤキャラクタのない画像中央部分では、より高い解像度での表示を行なうことができる。
【００８５】
なお、上記図９では、ＲＧＢ変換部５４で原色系に変換したパラレルな画像データＲＧＢをさらに水平２倍変換部７２にて必要により横画素数を２倍に変換することで、液晶表示パネル６０での表示に適した画素数の画像データを得るものとしている。
【００８６】
また、ＶＲＡＭ２４にＯＳＤキャラクタが重畳された画像データと、ＯＳＤキャラクタが重畳されていない画像データのいずれも記憶可能な構成とし、ＶＲＡＭ２４に記憶されている画像データにＯＳＤキャラクタが重畳されているか否かを判断する判断手段を設け、上記判断手段によりＯＳＤキャラクタが重畳されている画像データであると判断された場合には選択部５９に第１のパラレル／シリアル変換部５５の出力を選択させ、上記判断手段によりＯＳＤキャラクタが重畳されていない画像データであると判断された場合には選択部５９に第２のパラレル／シリアル変換部５５の出力を選択させるようにしてもよい。
【００８７】
さらに、上記実施の形態では、元となる画像データに対してＯＳＤキャラクタの画像データを重畳した後に水平方向の画素数を拡大するものとしていたが、このように重畳後に画素数の拡大を行なうことで、元の画像データとＯＳＤキャラクタの画像データの特に輪郭部分が補間処理によってぼやけたものとなってしまう可能性があるので、元の画像データとＯＳＤキャラクタの画像データとを別々に水平方向に拡大した上で混合部５１により合成して重畳するものとしてもよい。
【００８８】
図１０は、そのような上記図２に代わる本実施の形態の他の構成例を示すものである。同図において、基本的な機能回路の構成については上記図２に準ずるものとし、上記図９で用いた部分も含めて、同一部分には同一符号を付してその説明を省略する。
【００８９】
しかして、画像バッファ４１から読出されるパラレルな画像データＹＵＶ２４ビットは、表示ドライバユニットＤＵ内でまず水平拡大部５３にて水平（横）方向の画素数が拡大され、ＲＧＢ変換部５４で原色系の画像データＲＧＢに変換される。
【００９０】
さらに、水平２倍変換部７２にて水平（横）方向の画素数が必要により２倍に拡大されて液晶表示パネル６０での表示に適した画素数とされた後に、混合部５１に与えられる。
【００９１】
一方、ＯＳＤバッファ４２から読出されるＯＳＤコードが表示ドライバユニットＤＵ内のカラーパレット変換部５２と切換え制御部７１とに与えられる。カラーパレット変換部５２がこのコードに基づいてＯＳＤ用のキャラクタを原色系の画像データＲＧＢ２４ビットの形で生成し、水平拡大部７３へ出力する。この水平拡大部７３もまたＯＳＤキャラクタの画像データを液晶表示パネル６０での表示に適したものとするべく、水平（横）方向の画素数を拡大した上で混合部５１に与える。
【００９２】
このように、元の画像データとＯＳＤキャラクタ用の画像データとをそれぞれ別々に水平方向の拡大処理を行なって、それぞれ液晶表示パネル６０での表示に適した横構成画素数とした後に混合部５１で重畳合成して１つの画像データを得るものとし、これを第１のパラレル／シリアル変換部５５及び第２のパラレル／シリアル変換部５６に供給するものとした。
【００９３】
このような構成とすることで、元の画像データに上書きされるＯＳＤ用のキャラクタの画像データの輪郭部分が補間処理等によってぼやけてしまうようなことがなく、キャラクタ部分がより自然で見やすい画像データを得ることができる。
【００９４】
なお、上記実施の形態では、各種パラレル／シリアル変換を含む処理をハードウェア回路によって実現するものとして説明したが、近年は画像処理用のプロセッサの演算容量が非常に大きなものとなっているため、制御部２２の他にそのような画像処理用のプロセッサを用い、あるいは上記図１の回路構成上でカラープロセス回路１８や画像圧縮／伸長回路２７等で使用する画像処理用のプロセッサを流用するものとして、上述した各回路処理のすべて、あるいは一部をソフトウェア処理により実現するものとしてもよい。
【００９５】
また、上記実施の形態は、いずれも本発明をデジタルカメラに適用した場合について説明したが、本発明はこれに限ることなく、自然画等の原画像データと何らかのキャラクタデータによるＯＳＤ（オン・スクリーン・ディスプレイ）データとを重畳して表示部のカラー液晶表示パネルに表示するような各種電子機器、例えばカメラ機能を有する（もしくはカメラ機能を有さない）携帯電話機、ＰＤＡ（Ｐｅｒｓｏｎａｌ  Ｄｉｇｉｔａｌ  Ａｓｓｉｓｔａｎｔｓ：個人向け情報携帯端末）、携帯ゲーム端末などにも同様に適用可能であることは勿論である。
【００９６】
その他、本発明は上述した実施の形態に限定されるものではなく、実施段階ではその要旨を逸脱しない範囲で種々に変形することが可能である。また、上述した実施の形態で実行される機能は可能な限り適宜組合わせて実施しても良い。上述した実施の形態には種々の段階が含まれており、開示される複数の構成要件により適宜の組合せにより種々の発明が抽出され得る。例えば、実施の形態に示される全構成要件からいくつかの構成要件が削除されても、効果が得られるのであれば、この構成要件が削除された構成が発明として抽出され得る。
【図面の簡単な説明】
【００９７】
【図１】本発明の実施の一形態に係るデジタルカメラ全体の概念構成を示すブロック図。
【図２】同実施の形態に係る図１の主として表示部内の機能回路構成を示すブロック図。
【図３】同実施の形態に係るカラー液晶表示パネルのストライプ配列のカラーフィルタの構成例を示す図。
【図４】同実施の形態に係るカラー液晶表示パネルのデルタ配列のカラーフィルタの構成例を示す図。
【図５】同実施の形態に係る第１のパラレル／シリアル変換部での変換内容を示す図。
【図６】同実施の形態に係る第２のパラレル／シリアル変換部での変換内容を示す図。
【図７】同実施の形態に係る第３のパラレル／シリアル変換部での変換内容を示す図。
【図８】同実施の形態に係る第４のパラレル／シリアル変換部での変換内容を示す図。
【図９】同実施の形態に係る図１の主として表示部内の他の機能回路構成を示すブロック図。
【図１０】同実施の形態に係る図１の主として表示部内の他の機能回路構成を示すブロック図。
【符号の説明】
【００９８】
１０…デジタルカメラ、１１…モータ（Ｍ）、１２…撮影レンズ光学系、１３…ＣＣＤ、１４…タイミング発生器（ＴＧ）、１５…ＣＣＤドライバ、１６…ＡＧＣ／ＳＨ回路、１７…Ａ／Ｄ変換器、１８…カラープロセス回路、１９…ＤＭＡコントローラ、２０…ＤＲＡＭインタフェース（Ｉ／Ｆ）、２１…ＤＲＡＭ、２２…制御部、２３…表示コントローラ、２４…ＶＲＡＭ、２５…表示部、２６…キー入力部、２７…画像圧縮／伸長回路、２８…メモリカード、２９…内蔵メモリ、３０…音声処理部、３１…フラッシュ駆動部、３２…マイクロホン部、３３…スピーカ部、３４…フラッシュ発光部、４１…画像バッファ、４２…ＯＳＤバッファ、５１…混合部、５２…カラーパレット変換部、５３…水平拡大部、５４…ＲＧＢ変換部、５５…第１のパラレル／シリアル変換部、５６…第２のパラレル／シリアル変換部、５７…第３のパラレル／シリアル変換部、５８…第４のパラレル／シリアル変換部、５９…選択部、６０…液晶表示（ＬＣＤ）パネル、６１…表示カウンタ、６２…液晶表示タイミング発生器（ＬＣＤ−ＴＧ）、７１…切換え制御部、７２…水平２倍変換部、７３…水平拡大部、ＤＵ…表示ドライバユニット、ＳＥＬ…選択信号。
【図１】
2008040272.tif 000003
【図２】
2008040272.tif 000004
【図３】
2008040272.tif 000005
【図４】
2008040272.tif 000006
【図５】
2008040272.tif 000007
【図６】
2008040272.tif 000008
【図７】
2008040272.tif 000009
【図８】
2008040272.tif 000010
【図９】
2008040272.tif 000011
【図１０】
2008040272.tif 000012